(57)【要約】【課題】車輌のデータを収集し、収集したデータにより所定の車輌を検索する。【解決手段】デジタル写真機は、車輌を撮影し、車番認識部で車輌の車番を画像認識する。位置測定手段は撮像時の現在位置を測定する。時計手段は撮像時の現在時刻を計測する。移動通信手段は、車番認識部で画像認識した車番を位置測定手段で測定した現在位置と時計手段で計測した現在時刻とともに送出する。データ記憶部は、駐車車輌収集システムの複数から送られてきたデータ毎に格納する。車輌検索部は、データ記憶部に格納したデータの車番を検索して同一車番の同一位置について不動時間を計算して、不動車輌を検索する。データ記憶部に犯罪関連車番を予め登録しておくと、送られてきたデータの車番について前記犯罪関連車番に該当する車輌を検索することもできる。【選択図】  図1
2005135133.tif 000002
【特許請求の範囲】
【請求項１】
デジタル写真機と、前記デジタル写真機により撮影した車輌の車番を画像認識する車番認識部と、前記車輌の撮像時の現在位置を測定する位置測定手段と、前記車輌の撮像時の現在時刻を得る時計手段と、車番認識部で画像認識した車番を位置測定手段で測定した現在位置と時計手段で得た現在時刻とともに送出する移動通信手段とを有することを特徴とする車輌収集システム。
【請求項２】
位置測定手段が衛星を利用した測位システムであり、時計手段が衛星からの時刻情報を利用するものであることを特徴とする請求項１に記載の車輌収集システム。
【請求項３】
請求項１又は２のいずれかの車輌収集システムを複数備え、
前記各車輌収集システムから送られてきたデータ毎に格納するデータ記憶部と、前記データ記憶部に格納したデータの車番を検索して同一車番の同一位置について不動時間を計算して、不動車輌を検索する車輌検索部を備えることを特徴とする車輌検索システム。
【請求項４】
デジタル写真機と、前記デジタル写真機により撮影した車輌の車番を画像認識する車番認識部と、車番認識部で画像認識した車番を送出する移動通信手段とを有する車輌収集システム又は請求項１又は２の車輌収集システムのいずれか１を備え、
犯罪関連車番を予め登録しておくとともに前記車輌収集システムから送られてきたデータ毎に格納するデータ記憶部と、前記データ記憶部に送られてきたデータの車番について前記犯罪関連車番に該当する車輌を検索する車輌検索部を備えることを特徴とする車輌検索システム。
【発明の詳細な説明】
【技術分野】
【０００１】
本発明は、道路上の駐車車輌の取締りに、犯罪関連車輌の検索に適用できる車輌検索システムに関するものである。
【背景技術】
【０００２】
道路上の違法駐車の取締りにおいては、例えば、警察官が違法駐車車輌のタイヤと地面に印を付けて、所定時間後に巡回し、前記印のある同一車輌が継続して同一場所から動いていないかを確認している。
【０００３】
車輌が継続して駐車していることを確認する手段としてタイヤと地面に印を付ける方法は、警察官が警察車輌から降りて又は警察車輌から体を伸ばして作業する必要があった。
【発明の開示】
【発明が解決しようとする課題】
【０００４】
本発明が解決しようとする課題は、不動車輌のデータを収集し、収集したデータにより所定の不動車輌を検索することにある。
本発明が解決しようとするさらなる課題は、車輌が犯罪関連車輌であるかを検索することにある。
【課題を解決するための手段】
【０００５】
請求項１に係る車輌収集システムは、
デジタル写真機と、前記デジタル写真機により撮影した車輌の車番を画像認識する車番認識部と、前記車輌の撮像時の現在位置を測定する位置測定手段と、前記車輌の撮像時の現在時刻を得る時計手段と、車番認識部で画像認識した車番を位置測定手段で測定した現在位置と時計手段で得た現在時刻とともに送出する移動通信手段とを有することを特徴とするものである。
【０００６】
請求項２に係る車輌収集システムは、前記位置測定手段が衛星を利用した測位システムであり、時計手段が衛星からの時刻情報を得るものであることを特徴とするものである。
【０００７】
請求項３に係る車輌検索システムは、
前記した請求項１又は２のいずれかに係る車輌収集システムを複数備え、前記各車輌収集システムから送られてきたデータ毎に格納するデータ記憶部と、前記データ記憶部に格納したデータの車番を検索して同一車番の同一位置について不動時間を計算して、不動車輌を検索する車輌検索部を備えることを特徴とするものである。
【０００８】
請求項４に係る車輌収集システムは、
デジタル写真機と、前記デジタル写真機により撮影した車輌の車番を画像認識する車番認識部と、車番認識部で画像認識した車番を送出する移動通信手段とを有する車輌収集システム又は請求項１又は２の車輌収集システムのいずれか１を備え、
犯罪関連車番を予め登録しておくとともに前記車輌収集システムから送られてきたデータ毎に格納するデータ記憶部と、前記データ記憶部に送られてきたデータの車番について前記犯罪関連車番に該当する車輌を検索する車輌検索部を備えることを特徴とするものである。
【発明の効果】
【０００９】
請求項１に係る車輌検索システムによれば、デジタル写真機で車輌を撮影し、車番認識部で車番を画像認識するから、警察官は警察車輌から降りて又は警察車輌から体を伸ばして作業する必要がなく、取締りの省力化を図ることができる。
また、車輌から降りずに違法駐車の収集ができるから、いつチェックされるかわからないことによる警戒心から違反の減少が期待できる。
【００１０】
請求項２に係る車輌検索システムによれば、迅速に位置を測定でき、衛星の時刻情報を利用することができる。
【００１１】
請求項３に係る車輌検索システムによれば、駐車車輌を撮影した現在位置と現在時刻とともに車番をデータ記憶部に格納するから証拠能力を向上させることができる。
【００１２】
請求項４に係る車輌検索システムによれば、ある車輌に対して、犯罪登録車輌の割り出しを行うことができる。
【実施例】
【００１３】
図１は、本発明に係る車輌収集システム及び車輌検索システムを説明する機能ブロック図である。図１において、１０１は違法駐車車輌、１０２はデジタル写真機、１０３は車番認識部、１０４は位置測定手段、１０５は時計手段、１０６は移動通信手段、１０７は固定通信手段、１０８はデータ記憶部、１０９は車輌検索部である。１１０は車輌収集システムであり、デジタル写真機１０２、車番認識部１０３、位置測定手段１０４、時計手段１０５及び移動通信手段１０６を備える。また、車輌検索システムは複数の車輌収集システム１１０並びにデータ記憶部１０８、車輌検索部１０９を備える。
【００１４】
車番認識部１０３は、車輌の撮像画像から画像認識技術によりナンバープレートの車番を認識する。位置測定手段１０４はＧＰＳ（Ｇｌｏｂａｌ  Ｐｏｓｉｔｉｏｎｉｎｇ  Ｓｙｓｔｅｍ）により実現し、ｃｍ単位での精度で位置測定を行うために１つもしくは複数の基準局（図示しない）による誤差情報を用いた、高精度ＧＰＳである。時計手段１０５は例えば位置測定手段１０４を構成するＧＰＳの時計手段を用いる。なお、時刻情報は、時計手段１０５が自ら生成したタイミングあるいは前記ＧＰＳの衛星からの時刻情報を利用する。移動通信手段１０６はデータ通信を実現する。固定通信手段１０７は警察署データセンタ１１１に設けられ、所定地域内の車輌収集システム１１０の移動通信手段１０６からの電波を受信する。警察署データセンタ１１１内にコンピュータが備えられ、データ記憶部１０８、車輌検索部１０９はコンピュータから構成される。
【００１５】
警察官が駐車違反車輌１０１を発見して、例えばパトカーから、デジタル写真機１０２によりそのナンバープレートを含むように撮影する。車番認識部１０３は撮影した画像からナンバープレートを抽出してその車番を認識する。一方、位置測定手段１０４は時々刻々の現在位置を測定していて、例えば、デジタル写真機１０２の撮影と同時にその時の現在位置とその時刻（年月日を含む）を図示しないバッファに出力する。図示しないバッファに格納された車番、現在位置、時刻のデータは、例えば、個々の警察官毎に与えられた識別番号とともに伝送に適した所定の形式に変換して移動通信手段１０６より出力される。
【００１６】
警察署データセンタ１１１の固定通信手段１０７は各移動通信手段１０６からのデータ信号を受信し、１回毎の受信データから、車番、現在位置、時刻及び識別番号を分析して、１回毎のレコードをデータ記憶部１０８に格納する。
【００１７】
車輌検索部１０９はデータ記憶部１０８にレコードが格納される毎に、新たに格納されたレコードの車番と位置とを読み出し、この車番と位置に基づいて所定の範囲のレコードについて検索する。同一の車番で同一位置に駐車しているものがなければ、新たな違反駐車として駐車時間は計算しない。車輌検索部１０９は、「該当車輌なし」として前記識別番号を付して固定通信手段１０７から送信する。当該識別番号を有する前記警察官は移動通信手段１０６から前記「該当車輌なし」のデータを受けて所定の処理を行う。同一の車番で同一位置に駐車しているものがあれば、データ記憶部１０８において前回の記録にさらに今回の時刻を追加記録するとともに、車輌検索部１０９において、駐車車輌を継続駐車として最古の時刻と今回の時刻から不動時間を計算する。車輌検索部１０９は、計算結果が所定の時間以上であるとき、「不動時間：××時間○○分」として記録するとともに、前記識別番号を付して固定通信手段１０７から送信する。当該識別番号を有する前記警察官は移動通信手段１０６から前記計算結果を受けて所定の処理を行う。
【００１８】
巡回パトロールにより駐車違反を発見した場合にその車両が継続車輌か否かを、警察署データセンタ１１１のデータと現在撮影した車輌のデータとで比較するから、前回と今回のパトロールが同一の者によらなくとも、デジタル写真機による撮影操作だけで、駐車違反車輌を特定することかできる。
【００１９】
車番認識部１０３は、デジタル写真機１０２で撮影した車輌の車番を認識するから、データ記録部１０８に盗難車などを予め登録記録しておき、車輌検索部１０９において車番に基づいて車輌登録内容の自動検索を実現することができ、犯罪登録車輌の早期割り出しに資することができる。すなわち、警察官から車輌照会の要求信号とともに車輌収集システム１１０から車番が送られると、車輌検索部１０９は、車輌照会の要求信号により、新たに送られデータ記憶部１０８に格納された車番について、すでに登録されている犯罪関連車輌の車番と一致するか検索する。例えば盗難車であるときは、盗難車発見時に必要なデータとともに、図示しないバッファからの個々の警察官の前記識別番号を付して固定通信手段１０７から送信する。当該識別番号を有する前記警察官は移動通信手段１０６から検索結果の盗難車であることの情報を受けて所定の処理を行うことができる。この犯罪登録車輌の割り出しは、駐停車車輌のみでなく走行中の車輌に対しても適用することができる。
この犯罪関連車輌の照会において、車輌収集システム１１０では、移動通信手段１０６からは、車番認識部１０３による車番の出力が必須であり、位置測定手段１０４による現在位置、時計手段１０５による現在時刻は、用いることは必ずしも必要でない。これらの位置測定手段１０４、時計手段１０５を省略することができる。位置測定手段１０４、時計手段１０５が用いられる場合は、不動車輌の検索と同様に、車番データとともに現在位置、現在時刻が、警察署データセンタ１１１に出力され、データ記憶部１０８に記録される。これらの現在位置、現在時刻データは例えば捜査に必要な処理に用いられる。
【図面の簡単な説明】
【００２０】
【図１】車輌収集システム及び車輌検索システムを説明する機能ブロック図である。
【符号の説明】
【００２１】
１０１…違法駐車車輌、１０２…デジタル写真機、１０３…車番認識部、１０４…位置測定手段、１０５…時計手段、１０６…移動通信手段、１０７…固定通信手段、１０８…データ記憶部、１０９…車輌検索部、１１０…車輌収集システム。
【図１】
2005135133.tif 000003